(57)【要約】【課題】物理量の記録計において、簡単な機構で記録計の薄型化を実現し、記録を視認する際にアームが邪魔になるという問題をも解消する。【解決手段】記録計は、一方の表面が記録書込み面６ｂであり、他方の表面が記録視認面６ａである平面状の記録媒体６と、記録書込み面６ｂに対して物理量を記録するための記録ペン部３と、記録視認面６ａが使用者から見えるように保持しつつ記録媒体６の記録位置を記録ペン部３に対して相対的に移動させる記録媒体駆動部７とを備える。記録媒体６は、記録視認面６ａ側に露出する透明基材と、記録書込み面６ｂ側から透明基材を覆う記録層とを含む。【選択図】        図３
2005017175.tif 000002
【特許請求の範囲】
【請求項１】
透明基材が露出する一方の表面を記録視認面とし、前記透明基材を覆うように記録層が形成されている他方の表面を記録書込み面とする平面状の記録媒体を、前記記録視認面が使用者から見えるように保持しつつ、前記記録書込み面に対して物理量の変化を記録する、記録方法。
【請求項２】
透明基材が露出する一方の表面を記録視認面とし、物理量記録のための記録層が前記透明基材を覆うように形成されている他方の表面を記録書込み面とする平面状である、記録媒体。
【請求項３】
前記記録層は、色素を内部に封入したマイクロカプセルと、顕色剤とを含む、請求項２に記載の記録媒体。
【請求項４】
前記記録層は、微小粒と結合剤との混合物を含む、請求項２に記載の記録媒体。
【請求項５】
前記記録層は、磁性粉を内部に封入したマイクロカプセルを含む、請求項２に記載の記録媒体。
【請求項６】
前記記録層は、擦過することで剥離可能な遮光剤である、請求項２に記載の記録媒体。
【請求項７】
一方の表面が記録書込み面であり、他方の表面が記録視認面である平面状の記録媒体と、
前記記録書込み面に対して物理量を記録するための記録ペン部と、
前記記録視認面が使用者から見えるように保持しつつ前記記録媒体の記録位置を前記記録ペン部に対して相対的に移動させる記録媒体駆動部とを備え、
前記記録媒体は、前記記録視認面側に露出する透明基材と、前記記録書込み面側から前記透明基材を覆う記録層とを含む、記録計。
【請求項８】
前記記録媒体は、円板状であり、前記記録媒体駆動部は、前記記録媒体を回転させるためのものである、請求項７に記載の記録計。
【請求項９】
前記記録媒体は、帯状であり、前記記録媒体駆動部は、前記記録媒体を長手方向に沿って進行させるためのものである、請求項７に記載の記録計。
【請求項１０】
前記記録媒体は、ループ状となっている、請求項９に記載の記録計。
【請求項１１】
前記記録ペン部によって既に記入された物理量記録を消去するための消去手段を備える、請求項８または１０に記載の記録計。
【請求項１２】
前記記録層は、色素を内部に封入したマイクロカプセルと、顕色剤とを含み、前記記録ペン部は、前記記録書込み面を擦過して前記マイクロカプセルを破砕するためのものである、請求項７から１０のいずれかに記載の記録計。
【請求項１３】
前記記録層は、微小粒と結合剤との混合物を含み、前記記録ペン部は、前記記録書込み面に発色物質を付着させるためのものである、請求項７から１０のいずれかに記載の記録計。
【請求項１４】
前記記録層は、磁性粉を内部に封入したマイクロカプセルを含み、前記記録ペン部は磁石を含む、請求項７から１１のいずれかに記載の記録計。
【請求項１５】
前記記録層は、遮光剤であり、前記記録ペン部は前記遮光剤を削り取って前記透明基材を露出させるためのものである、請求項７から１０のいずれかに記載の記録計。
【発明の詳細な説明】
【０００１】
【発明の属する技術分野】
本発明は、物理量を記録するための記録方法、記録媒体および記録計に関するものである。
【０００２】
【従来の技術】
図１９、図２０を参照して、従来技術に基づく記録計について説明する。この記録計を正面から見ると、図１９に示すように、筐体１０１の内部に記録媒体１０６およびアーム１０２が収納されているのが見える。筐体１０１の前面に設けられた視認窓１０５から記録媒体１０６の表面が視認できるようになっている。筐体１０１の内部では、図２０に示すように、記録媒体１０６の背後に記録媒体駆動部１０７が配置されている。記録媒体駆動部１０７は、記録媒体１０６を、回転軸１０８の周りにゆっくりと回転させるようになっている。アーム１０２は、先端に記録ペン部１０３を有する。図２０に示すように、アーム１０２は記録ペン部１０３を記録媒体１０６の記録面としての表面に当接させるように設置されている。アーム１０２の根元は、アーム駆動部１０４に接続されており、アーム駆動部１０４は、温度、湿度、圧力などといった測定対象となる物理量の変化によって、アーム１０２を回転させ、その結果、記録ペン部１０３を変位させるようになっている。記録ペン部１０３が記録媒体１０６の表面に当接したまま記録媒体１０６が回転することにより、図１９に示すように、記録媒体１０６の表面には測定対象である物理量の経時変化がグラフ１０９として描かれる。
【０００３】
なお、図１９に示したタイプの記録計は、一般に、循環式チャート記録計（ｃｉｒｃｕｌａｒ  ｃｈａｒｔ  ｒｅｃｏｒｄｅｒ）として市販されている。たとえば、Ｏｍｅｇａ  Ｅｎｇｉｎｅｅｒｉｎｇ社製のＣＴ１７００シリーズ、Ｉｎｄｕｓｔｒｉａｌ  Ｐｒｏｃｅｓｓ  Ｍｅａｓｕｒｅｍｅｎｔ社製のＣＴ５８５シリーズなどを挙げることができる。また、後掲の非特許文献１，２には、計測データを記録するための同様の記録計が多数掲載されている。
【０００４】
なお、特開平６−３４７２９６号公報（特許文献１）の実施例２には、感圧性の記録紙を用い、記録紙の正面側に記録紙を押さえるための透明板を配置し、この透明板を印字台として打点印字手段によって計測データをアナログ記録する記録計が開示されている。
【０００５】
【特許文献１】
特開平６−３４７２９６号公報（実施例２、図２）
【０００６】
【非特許文献１】
カタログ「ＯＭＥＧＡ  Ｔｅｍｐｅｒａｔｕｒｅ  Ｍｅａｓｕｒｅｍｅｎｔ  Ｈａｎｄｂｏｏｋ  ＆  Ｅｎｃｙｃｌｏｐｅｄｉａ  Ｎｏ．２８」Ｏｍｅｇａ  Ｅｎｇｉｎｅｅｒｉｎｇ社、ｐ．Ｄ−６８，Ｄ−７６，Ｈｕ−１６〜Ｈｕ−２０
【０００７】
【非特許文献２】
カタログ「Ｆｉｓｈｅｒ  Ｂｉｏｂｌｏｃｋ  Ｓｃｉｅｎｔｉｆｉｃ    ２００３」Ｆｉｓｈｅｒ  Ｂｉｏｂｌｏｃｋ  Ｓｃｉｅｎｔｉｆｉｃ社、ｐ．１７８８−１７９１
【０００８】
【発明が解決しようとする課題】
図１９、図２０に示した従来技術による記録計では、記録媒体１０６を回転させるための記録媒体駆動部１０７が記録媒体１０６の背面に配置される一方で、記録媒体１０６の手前側すなわち視認する側には、記録ペン部１０３を保持したアーム１０２が配置される。そのため、全体の厚みＤはある程度以上厚くならざるを得ず、薄型化の妨げとなっていた。
【０００９】
また、記録媒体１０６の手前側にアーム１０２があることによって、記録を視認する際に邪魔となっていた。
【００１０】
特許文献１に開示された記録計では、記録媒体の視認する側の面と反対側の面から記録を行なうため、記録のための部品が視認の邪魔になることは回避できていたが、記録紙が透明板に対して面同士で接するため、摩擦力が大きくなり、その摩擦力に抗して確実に記録紙を一定速度で進行させる必要があるため、記録紙の駆動に一定以上の力を必要としていた。したがって、記録計に内蔵すべき機構が大掛かりになってしまうという問題があった。
【００１１】
そこで、本発明は、記録計の薄型化を実現し、記録を視認する際にアームが邪魔になるという問題を解消し、簡単な機構で実現できる記録方法、記録媒体および記録計を提供することを目的とする。
【００１２】
【課題を解決するための手段】
上記目的を達成するため、本発明に基づく記録方法は、透明基材が露出する一方の表面を記録視認面とし、上記透明基材を覆うように記録層が形成されている他方の表面を記録書込み面とする平面状の記録媒体を、上記記録視認面が使用者から見えるように保持しつつ、上記記録書込み面に対して、物理量の変化を記録する。この方法を採用することにより、記録視認面と反対側の面である記録書込み面から物理量の記録を行なうが、記録媒体は記録視認面側に透明基材を含んでいるので、記録視認面側から記録内容を視認することができる。記録のための器具を記録視認面側に配置する必要はないので、使用者が記録内容を視認する際に記録のための器具が邪魔になることを回避できる。また、薄いスペース内で記録を行なうことができる。
【００１３】
上記発明において好ましくは、上記記録媒体として円板状のものを用い、上記物理量の変化の記録は上記記録媒体を回転させながら行なう。この方法を採用することにより、記録媒体を巻き取るロールなどが不要であるので、薄いスペース内で記録を行なうことができる。
【００１４】
上記発明において好ましくは、上記記録媒体として帯状のものを用い、上記物理量の変化の記録は上記記録媒体を長手方向に沿って進行させながら行なう。この方法を採用することにより、長時間の記録も行なえるようになる。また、グラフの時間軸が直線状となるため、グラフが見やすくなる。
【００１５】
上記発明において好ましくは、上記記録媒体として、上記透明基材の一方の表面に、色素を内部に封入したマイクロカプセルと顕色剤とを含む上記記録層が形成されたものを用い、上記物理量の変化の記録は、上記記録書込み面を擦過して上記マイクロカプセルを破砕することによって行なう。この方法を採用することにより、簡単な構造で記録を行なうことができる。
【００１６】
上記発明において好ましくは、上記記録媒体として、上記透明基材の一方の表面に、微小粒と結合剤との混合物を塗布することで上記記録層が形成されたものを用い、上記物理量の変化の記録は、上記記録書込み面に対して付与するインクによって行なう。この方法を採用することにより、記録媒体にインクがつきさえすれば記録を書き込めるので、記録媒体に対してインク式ペンを低い圧力で当接させている場合であっても記録を行なうことができる。
【００１７】
上記発明において好ましくは、上記記録媒体として、上記透明基材の一方の表面に、微小粒と結合剤との混合物を塗布することで上記記録層が形成されたものを用い、上記物理量の変化の記録は、鉛筆芯によって行なう。この方法を採用することにより、簡単な構造で記録を行なうことができる。
【００１８】
上記発明において好ましくは、上記記録媒体として、上記透明基材の一方の表面に、磁性粉を内部に封入したマイクロカプセルを塗布することで上記記録層が形成されたものを用い、上記物理量の変化の記録は、磁石によって行なう。この方法を採用することにより、必ずしも当接しなくとも記録を行なうことができる。また、記録した内容を後で消去することができる。
【００１９】
上記発明において好ましくは、上記記録媒体として、上記透明基材の一方の表面に、遮光剤を塗布することで上記記録層が形成されたものを用い、上記物理量の変化の記録は、上記遮光剤を削り取って上記透明基材を露出させることによって行なう。この方法を採用することにより、簡単な構造で記録を行なうことができる。
【００２０】
上記目的を達成するため、本発明に基づく記録媒体は、透明基材が露出する一方の表面を記録視認面とし、物理量記録のための記録層が上記透明基材を覆うように形成されている他方の表面を記録書込み面とする平面状である。この構成を採用することにより、記録を書き込む側と視認する側とを互いに異なる側とすることができ、記録のために用いる器具が視認の邪魔になることを避けることができる。
【００２１】
上記発明において好ましくは、上記記録層は、色素を内部に封入したマイクロカプセルと、顕色剤とを含む。この構成を採用することにより、簡単な構造の記録ペン部によって記録することができる。
【００２２】
上記発明において好ましくは、上記記録層は、微小粒と結合剤との混合物を含む。この構成を採用することにより、発色物質が付着しやすくなるので、インクや鉛筆芯による書き込みに対して好ましくなる。
【００２３】
上記発明において好ましくは、上記記録層は、磁性粉を内部に封入したマイクロカプセルを含む。この構成を採用することにより、磁石によって書き込むことができ、一旦書いた内容を消去することも可能となる。
【００２４】
上記発明において好ましくは、上記記録層は、擦過することで剥離可能な遮光剤である。この構成を採用することにより、簡単な構造の記録ペン部によって記録することができる。
【００２５】
上記目的を達成するため、本発明に基づく記録計は、一方の表面が記録書込み面であり、他方の表面が記録視認面である平面状の記録媒体と、上記記録書込み面に対して物理量を記録するための記録ペン部と、上記記録視認面が使用者から見えるように保持しつつ上記記録媒体の記録位置を上記記録ペン部に対して相対的に移動させる記録媒体駆動部とを備え、上記記録媒体は、上記記録視認面側に露出する透明基材と、上記記録書込み面側から上記透明基材を覆う記録層とを含む。この構成を採用することにより、記録ペン部は、記録視認面と反対側の面である記録書込み面から物理量の記録を行なうが、記録媒体は記録視認面側に透明基材を含んでいるので、記録視認面側から記録内容を視認することができる。記録ペン部を記録視認面側に配置する必要はないので、使用者が記録内容を視認する際に記録ペン部などが邪魔になることを回避できる。また、記録ペン部、アーム、アーム駆動部なども記録媒体駆動部と同じく記録媒体の背後に配置することができるので、記録計全体の薄型化を図ることができる。
【００２６】
上記発明において好ましくは、上記記録媒体は、円板状であり、上記記録媒体駆動部は、上記記録媒体を回転させるためのものである。この構成を採用することにより、記録媒体を巻き取るロールなどが不要であるので、記録計を簡単な構造で薄く構成することができる。
【００２７】
上記発明において好ましくは、上記記録媒体は、帯状であり、上記記録媒体駆動部は、上記記録媒体を長手方向に沿って進行させるためのものである。この構成を採用することにより、記録媒体の幾何学的な長さを必要に応じて長くすることができるので、長時間の記録も行なえるようになる。また、グラフの時間軸が直線状となるため、グラフが見やすくなる。
【００２８】
上記発明において好ましくは、上記記録媒体は、ループ状となっている。この構成を採用することにより、物理量の記録をエンドレスで行なうことが可能となる。
【００２９】
上記発明において好ましくは、上記記録ペン部によって既に記入された物理量記録を消去するための消去手段を備える。この構成を採用することにより、記録媒体に記録済みの不要な記録を消して記録箇所を新鮮な状態に保ちながらエンドレスで記録を採ることが可能となる。
【００３０】
上記発明において好ましくは、上記記録層は、色素を内部に封入したマイクロカプセルと、顕色剤とを含み、上記記録ペン部は、上記記録書込み面を擦過して上記マイクロカプセルを破砕するためのものである。この構成を採用することにより、記録ペン部の硬い先端部で記録書込み面を擦過するだけで発色させることができるので、記録ペン部を故障の生じにくい簡単な構造とすることができる。
【００３１】
上記発明において好ましくは、上記記録層は、微小粒と結合剤との混合物を含み、上記記録ペン部は、上記記録書込み面に発色物質を付着させるためのものである。この構成を採用することにより、記録ペン部を簡単な構造とすることができ、記録媒体に対して記録ペン部を低い圧力で当接させている場合であっても記録を行なうことができる。
【００３２】
上記発明において好ましくは、上記記録層は、磁性粉を内部に封入したマイクロカプセルを含み、上記記録ペン部は磁石を含む。この構成を採用することにより、記録媒体に対して記録ペン部を低い圧力で当接させている場合や当接させていない場合であっても記録の書込みが可能となる。さらに、書き込んだ内容を消去して記録媒体を再利用することが可能となる。
【００３３】
上記発明において好ましくは、上記記録層は、遮光剤であり、上記記録ペン部は上記遮光剤を削り取って上記透明基材を露出させるためのものである。この構成を採用することにより、遮光剤が削れる程度に記録書込み面を擦過するだけでよいので、記録ペン部を簡単な構造とすることができる。
【００３４】
【発明の実施の形態】
（実施の形態１）
（構成）
図１〜図６を参照して、本発明に基づく実施の形態１における記録計について説明する。この記録計は、外観を図１に示すように、薄い箱型の筐体１を備えており、そのうち一方の表面に記録媒体６が見えるように配置されている。本実施の形態では、記録媒体６は円形であり、図２に示すように目盛りが印刷されている。記録媒体６は、円周方向に時間軸がとられており、一定期間、たとえば、２日間、８日間、１ヶ月間などといった所定の時間をかけて３６０°回転し、その所定の時間内の物理量の変化の記録をとることができるようになっている。
【００３５】
なお、「物理量」といった場合、たとえば、温度、湿度、圧力、電流、電圧、などをはじめとしてあらゆる物理量が想定可能である。
【００３６】
この記録計の断面図を図３に模式的に示す。図３に示すように、筐体１の内部には、記録媒体６と、記録媒体駆動部７と、アーム２と、アーム駆動部４とが収められている。記録媒体６は、一方の表面が記録書込み面６ｂとなっており、他方の表面が記録視認面６ａとなっている。上述の目盛りは、たとえば、記録視認面６ａの表面に印刷されている。記録が今まさに書き込まれている位置を以下「記録位置」と呼ぶものとすると、筐体１の手前側（図３では上側）には、記録視認面６ａの少なくとも記録位置、あるいは好ましくは記録視認面６ａの全面、を視認できる範囲で透明な部材、たとえば透明樹脂やガラスなどからなる視認窓５が配置されている。記録媒体６は、記録視認面６ａが図中上側、すなわち使用者から見えるように記録媒体駆動部７によって保持されている。
【００３７】
アーム２の根元はアーム駆動部４に接続されている。アーム２は、先端に記録ペン部３を有する。記録ペン部３は、記録書込み面６ｂに対して物理量を記録するためのものであり、本実施の形態では、硬く尖ったものであればよい。アーム２は、記録ペン部３を記録媒体６の記録書込み面６ｂに当接させるように設置されている。特に本実施の形態では、ある程度の力で記録書込み面６ｂに向けて押し当てられている。アーム駆動部４は、温度、湿度、圧力などといった測定対象となる物理量の変化によって、アーム２を回転させ、その結果、記録ペン部３を主に記録媒体６のほぼ半径方向に変位させるようになっている。
【００３８】
一方、記録媒体駆動部７は、記録媒体６を回転軸８の周りにゆっくりと回転させるようになっている。すなわち、記録媒体６の記録位置にある部分を記録ペン部３に対して相対的に移動させるようになっている。
【００３９】
（記録媒体）
記録媒体６の部分拡大断面図を図４に示す。この記録媒体６は、透明な素材、たとえば、透明なガラスからなる透明基材１１を含む。透明基材１１は、記録視認面６ａ側に露出している。記録書込み面６ｂ側においては、記録層１２が透明基材１１を覆っている。本実施の形態では、記録層１２は、色素を内部に封入したマイクロカプセル１３ｈの層と、顕色剤層１３ｊとを含んでいる。この色素は、マイクロカプセル１３ｈに収まっている状態では発色しないが、顕色剤と触れ合ったときには化学反応を起こして特定の色を発色する性質を有している。図４では、透明基材１１に近い側に顕色剤層１３ｊが配置され、透明基材１１から遠い側にマイクロカプセル１３ｈの層が配置されているが、この積層順序は逆であってもよい。
【００４０】
上述の記録ペン部３は、記録書込み面６ｂを擦過することでマイクロカプセル１３ｈを破砕できる程度に硬く尖っており、マイクロカプセル１３ｈを破砕できる程度の力で記録媒体６に押し当てられている。
【００４１】
（作用・効果）
記録媒体６は記録媒体駆動部７によって回転させられる一方、記録ペン部３は記録書込み面６ｂに押し当てられており、かつアーム駆動部４によって変位させられるので、尖った記録ペン部３によって記録書込み面６ｂが擦過される。記録ペン部３が擦過した軌跡に沿って記録層１２内のマイクロカプセル１３ｈが破砕する。すると、マイクロカプセル１３ｈから出た色素が顕色剤層１３ｊの顕色剤と触れ合い、化学反応を起こして発色する。使用者は、この発色を、透明基材１１を通じて視認することができる。発色部分の連なりは線となり、記録視認面６ａに目盛りが印刷してあれば、使用者はこの線をグラフとして読み取ることができる。こうして、使用者は、記録視認面６ａを見ることで、それまでの間の物理量の変化の様子をひとめで把握することができる。
【００４２】
本実施の形態では、記録ペン部を記録視認面側に配置する必要はないので、使用者が記録内容を視認する際に記録ペン部などが邪魔になることを回避できる。また、記録ペン部、アーム、アーム駆動部なども記録媒体駆動部と同じく記録媒体の背後に配置することができるので、図３における厚みｄを小さくすることができる。すなわち、記録計全体の薄型化を図ることができる。
【００４３】
なお、図３では、アーム２を１本のみ備える記録計の例を示しているが、アーム２は複数本設置されていてもよい。複数本設置しておけば、異なる複数の物理量を並行して記録することができる。たとえば、温度および湿度の各々の経時変化を同一の記録媒体６の表面に同時に並行して記録することができる。
【００４４】
なお、図４では、記録層１２として、色素を封入したマイクロカプセル１３ｈの層と、顕色剤層１３ｊとを互いに別々の層として積層した構造を例示したが、マイクロカプセルが破砕する前には色素と顕色剤とが分離されていて、マイクロカプセルが破砕したときに色素と顕色剤とが触れ合うような配置でありさえすれば、記録層１２の構造は、図４の例に限らず、他の構造であってもよい。したがって、マイクロカプセル１３ｈと顕色剤とは記録層１２内で別々の層に分離している必要はなく、１つの層の中に混在して配置されていてもよい。
【００４５】
（記録媒体の取り付け）
ここで、アーム２の好ましい形態について補足説明する。アーム２は、たとえば図５に示すように、金属の薄板から形成されるものであってもよい。この例では、アーム２は、固定部２ａと、湾曲部２ｂとを含む１枚の板材から作られている。固定部２ａは平坦であり、固定のための穴などが必要に応じて設けられており、湾曲部２ｂは塑性変形によって曲げられている。先端の記録ペン部３は、薄板の端を三角形に仕上げて折り曲げただけのものであってもよい。このようなアーム２は、図６に示すように、固定部２ａが記録計内のアーム駆動部４に固定される。すなわち、記録媒体６を設置する前の状態では、アーム２は湾曲部２ｂが反り上がった状態となっている。このような状態で、アーム２の湾曲部２ｂを弾性変形させて押し下げるようにして記録媒体６を記録媒体駆動部７に取り付けることで、記録ペン部３は記録計内で常に記録媒体６に向かって付勢されていることになり、余分な部品を使用することなく簡単な機構で、記録ペン部３を記録媒体６の記録書込み面６ｂに向けて押し当てた状態を実現することができる。
【００４６】
（視認窓）
図３では、視認窓５は、筐体１の側面の一部までを構成するような形状として示されているが、これはあくまで一例であり、視認窓５は、筐体の一つの表面の一部に嵌め込むような形式のものであってもよい。視認窓５の内面には突起５ａが設けられている。この突起５ａは、記録媒体６の記録視認面６ａに当接している。このような突起５ａを設けておけば、記録媒体６が視認窓５に対して密着して回転の妨げとなるような事態を防止できる。特に、記録ペン部３が強い力で記録媒体６に押し当てられるような場合には、記録媒体６が視認窓５に密着しがちとなるので、突起５ａによって密着を防止することは有意義である。
【００４７】
なお、記録媒体６が記録ペン部３に押されて大きく変形するといった問題がない場合は、透明部材からなる視認窓５をなくし、記録媒体６の記録視認面６ａが直接記録計の外部に露出するようにしてもよい。
【００４８】
（実施の形態２）
（構成）
図１〜図３、図７〜図１０を参照して、本発明に基づく実施の形態２における記録計について説明する。この記録計は、実施の形態１における記録計と同様、外観は図１に示すとおりである。用いられる記録媒体６の目盛りのパターンも実施の形態１におけるものと同様、図２に示すとおりである。この記録計の断面図も実施の形態１における記録計と同様、基本的に図３に示すとおりであるが、実施の形態１における記録計に比べて、記録媒体６および記録ペン部３の構造が異なる。以下、詳細に説明する。なお、他の各部の構成や作用・効果については、実施の形態１で説明したものと同様である。
【００４９】
本実施の形態における記録計に用いられる記録媒体６の部分拡大断面図を図７に示す。この記録媒体６は、基本的には実施の形態１におけるものと同様であるが、実施の形態１における記録媒体に比べて記録層１２が異なる。本実施の形態では、記録層１２は、微小粒１４と結合剤１５との混合物を含む。微小粒１４は、たとえば、シリカ（ＳｉＯ２）や酸化アルミナ（ＡｌＯ３）を主成分とする粉末である。結合材１５には、たとえば、二液反応型のいわゆるスクリーンプロセスインキが用いられる。
【００５０】
図７の例では、記録層１２として微小粒１４と結合剤１５との混合物が直接透明基材１１に塗布されているが、記録層１２には他の下地層が含まれていてもよい。また、記録層１２における結合剤１５は、多孔質であってもよい。
【００５１】
記録層１２に含まれる微小粒１４は、砥粒であることが好ましい。微小粒１４として砥粒を含む記録媒体６としては、たとえば、市販されているＷＡ砥粒の＃６０００程度の番手の研磨シートであってベース材が透明なものを用いることができる。また、微小粒１４は、砥粒以外の適当な粒であってもよく、記録媒体６としては、たとえば、インクジェット記録用シート、インクジェットメディアなどという名称で市販されているシートであってベース材が透明なものが使用可能である。
【００５２】
一方、記録ペン部３は、記録書込み面６ｂに発色物質を付着させることによって記録を行なう。発色物質としては様々なものが選択可能である。
【００５３】
（作用・効果）
本実施の形態では、記録媒体６の記録視認面６ａ側は透明基材１１となっているので、いずれかの種類の発色物質を記録書込み面６ｂに付着させることで物理量の記録を行なった場合、使用者は、記録ペン部３の軌跡である記録内容を線として記録視認面６ａから見ることができる。
【００５４】
以下に、例をいくつか示す。
（鉛筆芯による場合）
たとえば、図８に示すように、記録ペン部３に鉛筆芯１６を保持させた場合、この鉛筆芯１６が図７に示す記録書込み面６ｂを擦過することによって、発色物質としての鉛筆粉が記録層１２に付着する。この記録媒体６では記録層１２が微小粒１４と結合剤１５との混合物となっているので、微小粉１４によって鉛筆芯１６から黒鉛粉が効率良く削り取られ、また、微小粒１４と結合剤１５との混合物は、表面が粗くなっているため、削り取った黒鉛粉を着実に保持することができる。この場合、使用者は、記録内容を鉛筆で描かれた線として記録視認面６ａから見ることができる。
【００５５】
（インクによる場合）
たとえば、図９に示すように、記録ペン部３をインク式ペン１７とした場合、このインク式ペン１７が図７に示す記録書込み面６ｂを擦過することによって、インク式ペン１７から供給されるインクが発色物質として記録層１２に付着する。インクは水性であっても非水性であってもよい。この記録媒体６では記録層１２が微小粒１４と結合剤１５との混合物となっているので、記録書込み面６ｂの凹部や微小粒１４同士の隙間にインクが染み込みやすく、付着したインクを着実に保持することができる。特に記録層１２が多孔質であれば、インクをよく染み込ませることができるのでより好ましい。このようにインク式ペン１７を用いた場合、使用者は、記録内容をインクで描かれた線として記録視認面６ａから見ることができる。
【００５６】
また、インク式ペン１７によって記録を行なう場合、記録ペン部３を記録媒体６に向けて強く押しつけなくとも記録を行なうことができるため、記録媒体６が押圧によって変形するといった問題や、記録媒体６が視認窓５に押しつけられて密着して動きにくくなるといった問題を回避することができる。
【００５７】
図１０に示すように、記録ペン部３をインクジェット装置１８とした場合も同様である。すなわち、インクジェット装置１８が吐出したインクが発色物質として記録層１２に付着する。使用者は、記録ペン部３の軌跡である記録内容をインクで描かれた線として記録視認面６ａから見ることができる。
【００５８】
インクジェット装置１８では電気信号によって動作の有無を自在に制御することができるので、カラー印刷可能なインクジェット装置１８を取り付けておいて複数の物理量を１つの記録ペン部３によって色を変えてそれぞれ記録することも可能である。あるいは、一定時間ごとに動作の有無を切り替えることによって軌跡となる線を破線にしたりすることもできる。
【００５９】
また、インクジェット装置１８を用いた場合、インク式ペン１７と違って、記録媒体６に触れない状態であっても記録書込み面６ｂに印刷することができるため、記録媒体６に全く力を加えずに記録を行なうことができる。したがって記録媒体６が押圧によって変形するといった問題や、記録媒体６が視認窓５に押しつけられて密着するといった問題をより確実に回避することができる。
【００６０】
（金属部材による場合）
たとえば、微小粒１４として砥粒を含む記録媒体６の場合、記録書込み面６ｂに発色物質を付着させる方法としては、上述のいくつかの例のほかに、記録ペン部３に金属部材を保持して、この金属部材によって記録書込み面６ｂを擦過することも考えられる。金属部材によって擦過することによって、金属粉が砥粒に削り取られて記録書込み面６ｂに付着する。この場合、金属粉が発色物質に該当する。これを行なうための金属部材としては、軟らかい金属が好ましい。軟らかい金属とは、たとえば、銅、銀、アルミニウム、スズ、鉛などである。また、軟らかい金属以外であっても、たとえばステンレスによっても記録書込みが可能である。
【００６１】
（実施の形態３）
（構成）
図１〜図３、図１１、図１２を参照して、本発明に基づく実施の形態３における記録計について説明する。この記録計は、実施の形態１における記録計と同様、外観は図１に示すとおりである。用いられる記録媒体６の目盛りのパターンも実施の形態１におけるものと同様、図２に示すとおりである。この記録計の断面図も実施の形態１における記録計と同様、基本的に図３に示すとおりであるが、実施の形態１における記録計に比べて、記録媒体６および記録ペン部３の構造が異なる。以下、詳細に説明する。なお、他の各部の構成や作用・効果については、実施の形態１で説明したものと同様である。
【００６２】
本実施の形態における記録計に用いられる記録媒体６の部分拡大断面図を図１１に示す。この記録媒体６は、基本的には実施の形態１におけるものと同様であるが、実施の形態１における記録媒体に比べて記録層１２が異なる。本実施の形態では、記録層１２は、磁性粉１９を内部に封入したマイクロカプセル１３ｉを含む。マイクロカプセル１３ｉ内には、磁性粉１９とともに添加物２０が封入されている。添加物２０は、たとえば白色乳剤であり、磁性粉１９はこの添加物２０の中で泳動可能となっている。この記録層１２は、磁気的な吸引または反発によって磁性粉１９がマイクロカプセル１３ｉ内の一定の側に集められたとき、あるいは、マイクロカプセル１３ｉ内で一定の配置状態になったときに、発色するようになっている。記録媒体６としては、たとえば、市販されている磁性マイクロカプセル表示シートであってベース材が透明なものを用いることができる。
【００６３】
一方、本実施の形態では、図１２に示すように、記録ペン部３は磁石２１を保持している。
【００６４】
なお、磁性粉を内部に封入したマイクロカプセルに関する技術は、たとえば、特許第２８４１２９１号公報、特許第２８４１２９４号公報、特開平８−２９７４７０号公報などに開示されている。
【００６５】
（作用・効果）
本実施の形態では、記録ペン部３の磁石２１が記録書込み面６ｂに対して当接または近接した状態で、アーム駆動部４によって記録ペン部３が変位させられる。その結果、記録ペン部３の通った軌跡上の各マイクロカプセル１３ｉにおいては、磁性粉１９は磁石２１の作用によって添加剤２０内を泳動し、発色する。使用者は、この発色を、透明基材１１を通じて視認することができる。こうして、使用者は、記録視認面６ａを見ることで、それまでの間の物理量の変化の様子をひとめで把握することができる。
【００６６】
その他得られる効果については、実施の形態１で説明したものと同様である。
（実施の形態４）
（構成）
図１〜図３、図１３を参照して、本発明に基づく実施の形態４における記録計について説明する。この記録計は、実施の形態１における記録計と同様、外観は図１に示すとおりである。用いられる記録媒体６の目盛りのパターンも実施の形態１におけるものと同様、図２に示すとおりである。この記録計の断面図も実施の形態１における記録計と同様、基本的に図３に示すとおりであるが、実施の形態１における記録計に比べて、記録媒体６および記録ペン部３の構造が異なる。以下、詳細に説明する。なお、他の各部の構成や作用・効果については、実施の形態１で説明したものと同様である。
【００６７】
本実施の形態における記録計に用いられる記録媒体６の部分拡大断面図を図１３に示す。この記録媒体６は、基本的には実施の形態１におけるものと同様であるが、実施の形態１における記録媒体に比べて記録層１２が異なる。本実施の形態では、記録層１２は、擦過することで剥離可能な遮光剤２２を含む。
【００６８】
本実施の形態における記録計に用いられる記録ペン部３は、記録書込み面６ｂを擦過することで遮光剤２２を削り取ることができる程度に硬く尖っており、遮光剤２２を削り取ることができる程度の力で記録媒体６に押し当てられている。
【００６９】
（作用・効果）
遮光剤２２がある状態では、記録書込み面６ｂ側から進行する光は、記録層１２によって遮られるので、記録視認面６ａ側で受光することはできない。すなわち、記録視認面６ａ側から見る使用者には、遮光剤２２の色が見える。
【００７０】
記録ペン部３は記録書込み面６ｂに押し当てられており、かつアーム駆動部４によって変位させられるので、尖った記録ペン部３によって記録書込み面６ｂが擦過される。記録ペン部３が擦過した軌跡に沿って記録層１２の遮光剤２２が削り取られるので、記録視認面６ａ側から見る使用者には、記録ペン部３が擦過した軌跡の線状に限って、遮光剤２２の色ではなく記録媒体６の奥から来る光の色が見えるようになる。こうして、使用者は、記録視認面６ａを見ることで、それまでの間の物理量の変化の様子をひとめで把握することができる。
【００７１】
たとえば、遮光剤２２を白色としておき、記録計の内部をある程度暗い状態としておけば、記録視認面６ａを見る使用者は、物理量の変化の記録を白地に黒い線として読み取ることができる。
【００７２】
本実施の形態では、記録計内部の記録媒体６の奥側に遮光剤２２の色と異なる色のシートまたは部材を配置しておくこととしてもよい。そうすれば、記録ペン部３が擦過した軌跡を所望の色の線として読み取ることができる。
【００７３】
その他得られる効果については、実施の形態１で説明したものと同様である。
（実施の形態５）
（構成）
図１４（ａ）〜（ｃ）を参照して、本発明に基づく実施の形態５における記録計について説明する。この記録計は、実施の形態５における記録計は、温度を測定し、温度の経時変化の記録をするためのものである。図１４（ａ）〜（ｃ）では、筐体や記録媒体駆動部などは図示を省略している。この記録計は、円板状の記録媒体６を備えており、記録媒体６は、記録媒体駆動部（図示せず）の作用によって図１４（ａ）の矢印の向きに回転軸８の周りに一定の速度で回転する。記録媒体６および記録ペン部３の構成は、これまでの実施の形態で説明したもののうちのいずれかであってよい。
【００７４】
この記録計では、図１４（ｂ），（ｃ）に示すように記録媒体６の記録書込み面６ｂに対して記録ペン部３が当接しており、この記録ペン部３によって記録が書き込まれる。記録ペン部３を支持するアーム２の根元には、アーム駆動部４が配置されている。アーム駆動部４は、バイメタル部２２と固定部２３とを含む。バイメタル部２２は、バイメタルの細長い板片を渦巻き状に加工して形成されたものであり、温度の変化によって変形する。バイメタル部２２の外周側の一端は図１４（ａ），（ｃ）に示すように固定部２３に接続されている。固定部２３は筐体（図示せず）に対して固定されている。一方、中心側の一端はアーム２に接続されている。
【００７５】
（作用・効果）
バイメタル部２２は、温度の変化によって変形するが、外周側の一端にある固体部２３は筐体に対して固定されているので、中心側の一端が専ら向きを変えることとなる。バイメタル部２２の中心側の一端が向きを変えることによってアーム２は向きを変えることとなり、記録ペン部３は記録媒体６の主表面と平行な面内で変位する。一方、記録媒体６は一定の速度で回転しているので、記録媒体６に対する記録ペン部３の相対的な軌跡は図１４（ａ）に示すようにグラフ９となって、記録視認面６ａから見ることができる。こうして、使用者は、記録視認面６ａを見ることで、それまでの間の温度の変化の様子をひとめで把握することができる。
【００７６】
本実施の形態では、この記録動作を、記録媒体６の視認する側と反対側から行なうことができ、記録視認面６ａの側にアームなどを配置する必要がないため、記録の視認の際にアームが邪魔になることがなく視認がしやすい。また、必要な構造を薄く収めることができる。
【００７７】
なお、本実施の形態では、バイメタルを利用して温度を測定する例を示したが、同様にバイメタルを利用して湿度を測定することとしてもよい。
【００７８】
（実施の形態６）
（構成）
図１５（ａ），（ｂ）を参照して、本発明に基づく実施の形態６における記録計について説明する。この記録計は、実施の形態６における記録計は、圧力を測定し、圧力の経時変化の記録をするためのものである。図１５（ａ），（ｂ）では、筐体や記録媒体駆動部などは図示を省略している。この記録計は、基本的には、実施の形態５で説明したものと同様であるが、アーム２およびアーム駆動部４が異なる。本実施の形態では、アーム駆動部４は、回転軸２６、ブルドン管２４およびアーム接続部２７を含んでいる。図１５（ａ）に示すように、アーム２は、回転軸２６で筐体（図示せず）に固定されており、回転軸２６の周りに回転可能となっている。アーム２のうち記録ペン部３と反対側の端は、アーム接続部２７を介してブルドン管２４に接続されている。ブルドン管２４には、矢印２５の向きに測定対象となる流体が導入される。
【００７９】
（作用・効果）
矢印２５に示すようにブルドン管２４内部に導入される流体の圧力によってブルドン管２４は矢印３３，３４のいずれかの向きに変形する。アーム２は回転軸２６で回動可能に拘束されているので、ブルドン管２４の変形は、アーム２の回転を引き起こし、記録ペン部３は変位する。一方、記録媒体６は一定の速度で回転しているので、記録媒体６に対する記録ペン部３の相対的な軌跡は図１５（ａ）に示すようにグラフ９となって、記録視認面６ａから見ることができる。こうして、使用者は、記録視認面６ａを見ることで、それまでの間の圧力の変化の様子をひとめで把握することができる。
【００８０】
本実施の形態では、この記録動作を、記録媒体６の視認する側と反対側から行なうことができ、記録視認面６ａの側にアームなどを配置する必要がないため、記録の視認の際にアームが邪魔になることがなく視認がしやすい。また、必要な構造を薄く収めることができる。
【００８１】
（実施の形態７）
（構成）
図１６を参照して、本発明に基づく実施の形態７における記録計について説明する。この記録計は、基本的には実施の形態５におけるものと同様である。ただし、記録媒体６は、実施の形態３で説明したように磁性粉を封入したマイクロカプセルを含むものであり、記録ペン部３は、磁石を保持している。さらに、この記録計は、記録書込み面６ｂに近接して配置された消磁部２８を備えている。消磁部２８は、記録媒体６の回転に関して記録箇所の上流側に配置されている。消磁部２８は、記録媒体６に書き込まれたグラフ９を消すためのものである。
【００８２】
図１６（ａ）〜（ｃ）では、実施の形態５と同様のバイメタル部２２を含むアーム駆動部４が図示されているが、実施の形態６に示したようにブルトン管を含むアーム駆動部を用いて圧力を測定するようにしてもよい。
【００８３】
（作用・効果）
本実施の形態でも、実施の形態５，６における効果は同様に得られるが、さらに以下のような効果も得られる。
【００８４】
本実施の形態では、記録媒体６に対してグラフ９が書き込まれて１周してきたときには、そのグラフ９は記録箇所に再び至る前に消磁部２８によって消される。したがって、記録媒体６のうちその部分は再び記録未記入の状態に戻り、再び記録ペン部３によって記録を書き込むことができる。こうして、記録媒体６を何度でも回転させて繰返し記録を採り続けることができるので、記録媒体６の１枚分の時間的容量を気にする必要がない。記録媒体６の交換の手間を省くことができる。
【００８５】
なお、本実施の形態では、消去して繰返し使用可能な記録媒体の方式として、実施の形態３で説明したように磁性粉を封入したマイクロカプセルを含むものを例に挙げ、磁石を有する記録ペン部３で書き込んで消磁部２８によって消す例を示したが、消去して繰返し使用可能な記録媒体の方式はこの方式に限らず、他の方式を採用してもよい。その場合は、消磁部２８に代えて記録方式に対応する適当な消去手段を配置すればよい。
【００８６】
（実施の形態８）
（構成）
図１７（ａ），（ｂ）を参照して、本発明に基づく実施の形態８における記録計について説明する。これまでの各実施の形態では、記録媒体は円板状のものを示していたが、本発明の適用に当たっては、記録媒体は円板状のものに限らない。実施の形態８では、記録媒体６ｒは帯状となっている。記録媒体の形状はこのように異なるが、記録媒体６および記録ペン部３の構成は、これまでの実施の形態で説明したもののうちのいずれかであってよい。
【００８７】
記録媒体駆動部（図示せず）は、記録媒体回収ロール３０を回転させることによって、記録媒体６ｒを長手方向に沿って進行させる。記録媒体６ｒは図１７（ｂ）に示す矢印のように記録媒体供給ロール２９から記録媒体回収ロール３０に向かって進行する。記録媒体６ｒの進行経路の途中において記録媒体６ｒの記録書込み面６ｂ側に記録ペン部３が配置されている。記録ペン部３を支持するアーム２の根元にはアーム駆動部４が配置されている。
【００８８】
（作用・効果）
記録媒体６ｒが直線状に進行する状態で、記録ペン部３によって物理量の記録を行なう。記録媒体６に対する記録ペン部３の相対的な軌跡は図１７（ａ）に示すようにグラフ９となって、記録視認面６ａから見ることができる。
【００８９】
本実施の形態では、実施の形態５，６で説明した効果は基本的に得ることができる。それに加えて本実施の形態では、以下の効果も得ることができる。
【００９０】
本実施の形態では、記録媒体を帯状にしたことで、記録媒体の幾何学的な長さを必要に応じて長くすることができるので、長時間の記録も行なえるようになる。また、グラフの時間軸が直線状となるため、グラフが見やすくなる。
【００９１】
（実施の形態９）
（構成）
図１８（ａ），（ｂ）を参照して、本発明に基づく実施の形態９における記録計について説明する。この記録計は、実施の形態８で説明したものと類似しているが、記録媒体６ｓが帯状かつループ状となっている。記録媒体６ｓは、記録視認面６ａが外側になり記録書込み面６ｂが内側になるようにして、第１ロール３１と第２ロール３２との間を循環する。このようにループ状の記録媒体を用いる場合、１周分で記録を終了させることとしてもよいが、エンドレスで使用してもよい。たとえば、記録媒体６にきれいな記録を残す必要がなく、対象とする物理量が一定範囲内に維持されているかどうかだけを検出したい場合などには、ループ状の記録媒体を循環させてエンドレスで記録を採り続けることも考えられる。
【００９２】
さらに、エンドレスでありながら物理量の記録をより見やすい状態で採りたい場合、記録媒体６ｓの記録方式には消去して繰返し使用可能な記録媒体の方式を採用し、不要箇所を消去しながら使用することが好ましい。その一例として、本実施の形態では、記録媒体は、実施の形態３で説明したような方式となっている。本実施の形態では、記録媒体６ｓを繰返し使用するものとし、図１８（ａ），（ｂ）に示すように、記録媒体６ｓの記録位置の上流側に記録媒体６ｓの記録書込み面６ｂに近接するように消磁部２８が配置されている。
【００９３】
（作用・効果）
このようにすることで、記録媒体６ｓに既に書き込まれた記録を消しながらエンドレスで記録を採ることができるので、記録箇所を新鮮な状態に保ちながらエンドレスで記録を採ることが可能となる。すなわち、実施の形態７で説明した効果も得ることができる。なお、消去手段は、記録箇所のすぐ直前ではなく、記録箇所の反対側において記録箇所における進行の向きと逆向きに走行している箇所（図１８（ｂ）の下側）に配置することとしてもよい。あるいは、第１ロール３１の周囲など、さらに他の箇所であってもよい。
【００９４】
なお、実施の形態７、９では、消去手段は、記録媒体の記録書込み面６ｂ側から記録媒体に近接するように配置した例を示したが、記録視認面６ａ側から近接させて配置してもよい。ただし、記録書込み面６ｂ側に配置した方が、記録視認面側の目盛りを遮る障害物を減らすことができ、また、全体の薄型化にも有利となるため、好ましい。
【００９５】
なお、図１７、図１８では、アーム２を１本のみ備える記録計の例を示しているが、アーム２は複数本設置されていてもよい。複数本設置しておけば、異なる複数の物理量を並行して記録することができる。たとえば、温度および湿度の各々の経時変化を同一の記録媒体の表面に同時に記録することができる。
【００９６】
なお、今回開示した上記実施の形態はすべての点で例示であって制限的なものではない。本発明の範囲は上記した説明ではなくて特許請求の範囲によって示され、特許請求の範囲と均等の意味および範囲内でのすべての変更を含むものである。
【００９７】
【発明の効果】
本発明によれば、記録媒体のうち記録視認面と反対側の面である記録書込み面から物理量の記録を行なうが、記録媒体は記録視認面側に透明基材を含んでいるので、記録視認面側から記録内容を視認することができる。特に、本発明に基づく記録計においては、記録ペン部を記録視認面側に配置する必要はないので、使用者が記録内容を視認する際に記録ペン部などが邪魔になることを回避できる。また、記録ペン部、アーム、アーム駆動部なども記録媒体駆動部と同じく記録媒体の背後に配置することができるので、記録計全体の薄型化を図ることができる。
【図面の簡単な説明】
【図１】本発明に基づく実施の形態１〜４における記録計の外観斜視図である。
【図２】本発明に基づく実施の形態１〜４における記録計に用いられる記録媒体の平面図である。
【図３】本発明に基づく実施の形態１における記録計の断面図である。
【図４】本発明に基づく実施の形態１における記録媒体の部分拡大断面図である。
【図５】本発明に基づく実施の形態１における記録計に含まれるアームの斜視図である。
【図６】本発明に基づく実施の形態１における記録計の記録媒体を設置する前の状態の断面図である。
【図７】本発明に基づく実施の形態２における記録媒体の部分拡大断面図である。
【図８】本発明に基づく実施の形態２におけるアームの第１の例の側面図である。
【図９】本発明に基づく実施の形態２におけるアームの第２の例の側面図である。
【図１０】本発明に基づく実施の形態２におけるアームの第３の例の側面図である。
【図１１】本発明に基づく実施の形態３における記録媒体の部分拡大断面図である。
【図１２】本発明に基づく実施の形態３におけるアームの側面図である。
【図１３】本発明に基づく実施の形態４における記録媒体の部分拡大断面図である。
【図１４】本発明に基づく実施の形態５における記録計の主要部を示す図であり、（ａ）は平面図、（ｂ）は正面図、（ｃ）は側面図である。
【図１５】本発明に基づく実施の形態６における記録計の主要部を示す図であり、（ａ）は平面図、（ｂ）は正面図である。
【図１６】本発明に基づく実施の形態７における記録計の主要部を示す図であり、（ａ）は平面図、（ｂ）は正面図、（ｃ）は側面図である。
【図１７】本発明に基づく実施の形態８における記録計の主要部を示す図であり、（ａ）は平面図、（ｂ）は正面図である。
【図１８】本発明に基づく実施の形態９における記録計の主要部を示す図であり、（ａ）は平面図、（ｂ）は正面図である。
【図１９】従来技術に基づく記録計の外観斜視図である。
【図２０】従来技術に基づく記録計の断面図である。
【符号の説明】
１，１０１  筐体、２，１０２  アーム、２ａ  （アームの）固定部、２ｂ  湾曲部、３，１０３  記録ペン部、４，１０４  アーム駆動部、５，１０５  視認窓、５ａ  突起、６，１０６  （円形の）記録媒体、６ａ  記録視認面、６ｂ記録書込み面、７，１０７  記録媒体駆動部、６ｒ  （帯状の）記録媒体、６ｓ  （ループ状の）記録媒体、８，１０８  回転軸、９，１０９  グラフ、１１透明基材、１２  記録層、１３ｈ，１３ｉ  マイクロカプセル、１３ｊ  顕色剤層、１４  微小粒、１５  結合剤、１６  鉛筆芯、１７  インク式ペン、１８インクジェット装置、１９  磁性粉、２０  添加物、２１  磁石、２２  バイメタル部、２３  （バイメタルの）固定部、２４  ブルドン管、２５  矢印、２６  回転軸、２７  アーム接続部、２８  消磁部、２９  記録媒体供給ロール、３０  記録媒体回収ロール、３１  第１ロール、３２  第２ロール、３３，３４矢印。
【図１】
2005017175.tif 000003
【図２】
2005017175.tif 000004
【図３】
2005017175.tif 000005
【図４】
2005017175.tif 000006
【図５】
2005017175.tif 000007
【図６】
2005017175.tif 000008
【図７】
2005017175.tif 000009
【図８】
2005017175.tif 000010
【図９】
2005017175.tif 000011
【図１０】
2005017175.tif 000012
【図１１】
2005017175.tif 000013
【図１２】
2005017175.tif 000014
【図１３】
2005017175.tif 000015
【図１４】
2005017175.tif 000016
【図１５】
2005017175.tif 000017
【図１６】
2005017175.tif 000018
【図１７】
2005017175.tif 000019
【図１８】
2005017175.tif 000020
【図１９】
2005017175.tif 000021
【図２０】
2005017175.tif 000022